(57)【要約】【課題】「自分と趣味の合う人による推薦」を装置が実行することによって、ユーザは特別の指示や操作をすることなく、自分のプレイリストを自分の趣味に合ったまま更新できるようにする。【解決手段】ユーザＸの端末では、ユーザＸのプレイリストの１つとユーザＹのプレイリストの１つとを順次、組み合わせて、それぞれの組合せにおけるプレイリスト間の類似度を、（自プレイリストおよび他プレイリストに共通する楽曲の数）／（自プレイリストの楽曲数と他プレイリストの楽曲数のうち小さい方）、として算出する。算出された類似度が閾値（＝０．５）を超える組合せについては、所有楽曲リストおよび当該の他プレイリストに含まれていて、当該の自プレイリストには含まれていない楽曲を、当該の自プレイリストに追加し、所有楽曲リストに含まれてなく、当該の他プレイリストに含まれている楽曲を、購入楽曲候補リストに登録する。【選択図】図２
2006277880.tif 000002
【特許請求の範囲】
【請求項１】
所有コンテンツリストを有し、自プレイリストとして１つまたは複数のプレイリストを有する、一のユーザの端末におけるコンテンツ探索呈示方法であって、
前記端末から、他のユーザのプレイリストである他プレイリストにアクセスして、他プレイリストとして１つまたは複数のプレイリストを取得する第１工程と、
その取得された他プレイリストの１つ、および自プレイリストの１つを、プレイリストの組合せとして選択し、その組合せの自プレイリストと他プレイリストとの間の類似度を、定められた算出式に従って算出する第２工程と、
その算出された類似度が、定められた閾値を超えるとき、当該の組合せの他プレイリストに含まれていて、当該の組合せの自プレイリストには含まれていないコンテンツを、探索結果として呈示する第３工程と、
を備えることを特徴とするコンテンツ探索呈示方法。
【請求項２】
請求項１のコンテンツ探索呈示方法において、
前記第３工程では、探索結果の呈示として、前記所有コンテンツリストおよび当該の組合せの他プレイリストに含まれていて、当該の組合せの自プレイリストには含まれていないコンテンツを、当該の組合せの自プレイリストに追加することを特徴とするコンテンツ探索呈示方法。
【請求項３】
請求項１のコンテンツ探索呈示方法において、
前記第３工程では、探索結果の呈示として、当該の組合せの他プレイリストに含まれていて、前記所有コンテンツリストおよび当該の組合せの自プレイリストには含まれていないコンテンツを、推薦リストに登録することを特徴とするコンテンツ探索呈示方法。
【請求項４】
請求項３のコンテンツ探索呈示方法において、
前記推薦リストには、登録する当該コンテンツを示す情報とともに、当該コンテンツが追加されるべき自プレイリストを指定する情報を記録することを特徴とするコンテンツ探索呈示方法。
【請求項５】
所有コンテンツリストを有し、自プレイリストとして１つまたは複数のプレイリストを有する、一のユーザの端末であって、
他のユーザのプレイリストである他プレイリストにアクセスして、他プレイリストとして１つまたは複数のプレイリストを取得する第１手段と、
その取得された他プレイリストの１つ、および自プレイリストの１つを、プレイリストの組合せとして選択し、その組合せの自プレイリストと他プレイリストとの間の類似度を、定められた算出式に従って算出する第２手段と、
その算出された類似度が、定められた閾値を超えるとき、当該の組合せの他プレイリストに含まれていて、当該の組合せの自プレイリストには含まれていないコンテンツを、探索結果として呈示する第３手段と、
を備えることを特徴とするユーザ端末。
【請求項６】
所有コンテンツリストを有し、自プレイリストとして１つまたは複数のプレイリストを有する、一のユーザの端末においてコンテンツを探索呈示するためにコンピュータを、
他のユーザのプレイリストである他プレイリストにアクセスして、他プレイリストとして１つまたは複数のプレイリストを取得する第１手段、
その取得された他プレイリストの１つ、および自プレイリストの１つを、プレイリストの組合せとして選択し、その組合せの自プレイリストと他プレイリストとの間の類似度を、定められた算出式に従って算出する第２手段、および、
その算出された類似度が、定められた閾値を超えるとき、当該の組合せの他プレイリストに含まれていて、当該の組合せの自プレイリストには含まれていないコンテンツを、探索結果として呈示する第３手段、
として機能させるためのコンテンツ探索呈示プログラム。
【発明の詳細な説明】
【技術分野】
【０００１】
この発明は、ＰＣ（パーソナルコンピュータ）や携帯電話端末などの、楽曲などのコンテンツを収録したユーザ端末、および、このユーザ端末におけるコンテンツ探索呈示方法に関する。
【背景技術】
【０００２】
ネットワークによる音楽配信の普及やストレージの大容量化などによって、ＰＣや音楽プレーヤーなどの端末に多数の楽曲を所有し、かつプレイリストを作成して楽曲を管理しているユーザが多くなっているが、その中には、自分のプレイリストをＷｅｂ上などで公開している人も多い。
【０００３】
プレイリストを自動生成する方法としては、再生回数や最後に再生した日付、楽曲の発売年度や自分のコレクションに加えた日付によって楽曲を選択する方法、曲名・アルバム名・アーティスト名に、ユーザの指定するキーワードを含む楽曲を選択する方法、ジャンルによって楽曲を選択する方法、自分自身がつけた格付けによって楽曲を選択する方法などが公知技術として存在する。
【０００４】
また、プレイリスト以外の形式でも、ネットワーク上には、ＰＣや携帯電話端末などから利用することができる楽曲情報は多い。
【０００５】
そこで、ユーザは、これら公開されているプレイリストやネットワーク上の楽曲情報などを利用して、自分の所有している楽曲を新たな組合せでプレイリストに登録し、自分の知らなかった楽曲を発見し購入するなど、音楽の新たな楽しみ方を享受することができる。
【０００６】
また、特許文献１（特開２００４−５４０２３号公報）には、各ユーザが、それぞれの携帯端末に、それぞれが推薦する楽曲のリストを所持し、各端末間で、その推薦楽曲リストを交換し、あるユーザの携帯端末では、他のユーザの推薦楽曲リストをまとめた収集楽曲リストを生成して、楽曲を推薦するユーザの数によって楽曲を選択することが示されている。
【０００７】
上に挙げた先行技術文献は、以下の通りである。
【特許文献１】特開２００４−５４０２３号公報
【発明の開示】
【発明が解決しようとする課題】
【０００８】
しかし、公開されているプレイリストやネットワーク上の楽曲情報などを利用するにしても、公開されている楽曲やネットワーク上の楽曲の数は膨大であるため、一つひとつ聴いたり、アーティスト情報を読んだりして、曲を選ぶのは、手間がかかる。
【０００９】
この楽曲選択をユーザ端末に行わせる方法として、例えば、ユーザがジャンルやアーティスト名などをキーワードとして指定し、ユーザ端末が、その条件に合った楽曲を組み合わせてプレイリストに登録する方法が考えられるが、この方法では、同じアーティストの曲や似たような曲調の曲ばかり集まることが多く、意外な組合せの発見が生じにくい。
【００１０】
また、他のユーザの公開されているプレイリストを、そのまま自分のプレイリストとして取り込む（コピーする）ことも考えられるが、この方法では、他のユーザの公開されているプレイリストを全て取り込む場合には、一方では似たようなプレイリストが重複して生成され、他方では自分の趣味に合わない組合せのプレイリストまで生成されて、あとでプレイリストを整理統合する必要性を生じ、他のユーザの公開されているプレイリストから自分の趣味に合ったプレイリストを選択して取り込む場合には、プレイリストを選ぶのに時間がかかるとともに、やはり似たようなプレイリストが重複して生成される結果となる。
【００１１】
音楽を楽しむユーザが本当に欲しいのは、意外ではあるが、自分の趣味に合った組合せである。このような組合せを的確に発見する方法の一つは、自分と趣味の合う人に推薦してもらうことである。
【００１２】
特許文献１に示された方法では、他のユーザから推薦楽曲リストを取得し、その中から楽曲を選択するが、この方法では、必ずしも自分の趣味に合った楽曲を選択できるとは限らない。
【００１３】
そこで、この発明は、「自分と趣味の合う人による推薦」を装置が実行することによって、ユーザは、他のユーザのプレイリストにアクセスする以外の特別の指示や操作をすることなく、自分の趣味に合ったコンテンツのみを発見することができ、自分のプレイリストを自分の趣味に合ったまま更新し、自分の趣味に合ったコンテンツの購入に対する支援を獲得することができるようにしたものである。
【課題を解決するための手段】
【００１４】
この発明のコンテンツ探索呈示方法は、
所有コンテンツリストを有し、自プレイリストとして１つまたは複数のプレイリストを有する、一のユーザの端末におけるコンテンツ探索呈示方法であって、
前記端末から、他のユーザのプレイリストである他プレイリストにアクセスして、他プレイリストとして１つまたは複数のプレイリストを取得する第１工程と、
その取得された他プレイリストの１つ、および自プレイリストの１つを、プレイリストの組合せとして選択し、その組合せの自プレイリストと他プレイリストとの間の類似度を、定められた算出式に従って算出する第２工程と、
その算出された類似度が、定められた閾値を超えるとき、当該の組合せの他プレイリストに含まれていて、当該の組合せの自プレイリストには含まれていないコンテンツを、探索結果として呈示する第３工程と、
を備えることを特徴とする。
【００１５】
上記のコンテンツ探索呈示方法では、自プレイリストと他プレイリストとの間の類似度が閾値を超える組合せについてのみ、当該の組合せの他プレイリストに含まれていて、自プレイリストには含まれていないコンテンツが、ユーザに対して呈示され、ユーザ端末が「自分（ユーザ）と趣味の合う人による推薦」を実行することになる。
【発明の効果】
【００１６】
以上のように、この発明によれば、「自分と趣味の合う人による推薦」を装置が実行することによって、ユーザは、他のユーザのプレイリストにアクセスする以外の特別の指示や操作をすることなく、自分の趣味に合ったコンテンツのみを発見することができ、自分のプレイリストを自分の趣味に合ったまま更新し、自分の趣味に合ったコンテンツの購入に対する支援を獲得することができる。
【発明を実施するための最良の形態】
【００１７】
［１．システムおよびユーザ端末の実施形態：図１および図２］
図１は、この発明のシステムおよびユーザ端末の一例を示し、コンテンツが楽曲、プレイリストが楽曲リストである場合である。
【００１８】
この例のシステムでは、あるユーザＸのユーザ端末１０が、ネットワーク１を介して、他のユーザＹのＷｅｂページ３０に接続される。
【００１９】
ネットワーク１は、インターネットや、携帯電話のネットワークなどの、コンピュータネットワークである。ユーザ端末１０は、このネットワーク１に接続する機能を有するＰＣ（パーソナルコンピュータ）や携帯電話端末などである。
【００２０】
具体的に、ユーザ端末１０は、ＣＰＵ１１を備え、そのバス１５に、プログラムやデータが書き込まれたＲＯＭ１２、プログラムやデータが展開されるＲＡＭ１３、記憶装置部１６、キー入力部１７およびネットワーク接続部１８が接続される。
【００２１】
記憶装置部１６は、ハードディスクや半導体メモリなどの内部記憶装置、または光ディスクなどのリムーバブル記憶装置で、多数の楽曲の楽曲データを記憶保持することができるとともに、所有楽曲リストやプレイリストなどの楽曲情報が書き込まれるものである。ネットワーク接続部１８は、Ｗｅｂブラウザによって、ネットワーク１に接続し、Ｗｅｂページ３０にアクセスするものである。
【００２２】
さらに、バス１５には、音声処理部２１を介して、音声出力部２２が接続され、表示制御部２３を介して、液晶表示部などの表示部２４が接続される。音声処理部２１は、バス１５に送出された楽曲データなどのデジタル音声データを、圧縮されているものについては伸長して、アナログ音声信号に変換するものであり、音声出力部２２は、スピーカやヘッドホンである。
【００２３】
ユーザ端末１０の、ＣＰＵ１１、ＲＯＭ１２およびＲＡＭ１３からなる制御部１４は、ユーザ端末１０の各部を制御するとともに、後述のようなプレイリスト更新処理を実行する。
【００２４】
ユーザ端末１０には、多数の楽曲の楽曲データのほかに、各楽曲のタイトル（曲名）、アーティスト名、作詞作曲者、アルバム名、などの書誌情報をまとめたレコードが存在し、このレコードに対するリンクが、図２に示すような、所有楽曲リスト、プレイリストおよび購入楽曲候補リストからなるリストテーブル２０にまとめられ、管理される。
【００２５】
所有楽曲リストは、ユーザＸがユーザ端末１０上に保有する全ての楽曲のリンクをまとめたもので、この例では、楽曲Ａ，Ｂ，Ｃ，Ｄ，Ｅ，Ｆ，Ｇ，Ｈ，Ｉ，Ｊ，Ｋ，Ｌが登録されている。
【００２６】
プレイリストは、ユーザＸが自分の所有する楽曲の中から、通勤途中で聴く楽曲、家でくつろぐときに聴く楽曲、車を運転するときに聴く楽曲など、さまざまな場面に応じて聴きたいと思う楽曲を選んで組み合わせ、そのリンクをリストにまとめたもので、この例では、３つのプレイリストＵ１，Ｕ２およびＵ３が生成され、プレイリストＵ１には楽曲Ａ，Ｄ，Ｅ，Ｈが登録され、プレイリストＵ２には楽曲Ｂ，Ｄ，Ｆ，Ｇが登録され、プレイリストＵ３には楽曲Ｂ，Ｄ，Ｇ，Ｊが登録されている。以後、このユーザＸのプレイリストを、自プレイリストと称する。
【００２７】
購入楽曲候補リストには、後述のように、ユーザ端末１０の制御部１４によって、ユーザＸが所有していない、ユーザＸに対して推薦される楽曲の書誌情報が記述される。
【００２８】
ユーザＹのＷｅｂページ３０には、この例では、ユーザＹのプレイリストとして、２つのプレイリストＷ１およびＷ２が公開され、プレイリストＷ１には楽曲Ａ，Ｅ，Ｌが登録され、プレイリストＷ２には楽曲Ｂ，Ｆ，Ｎが登録されている。以後、このユーザＹのプレイリストを、他プレイリストと称する。
【００２９】
［２．コンテンツ探索呈示方法の実施形態：図３〜図８］
（２−１．方法）
上述したシステムでは、ユーザ端末１０の制御部１４は、ネットワーク接続部１８によってネットワーク１上のＷｅｂページ３０にアクセスして、他プレイリストＷ１およびＷ２を取得し、自プレイリストＵ１，Ｕ２およびＵ３の１つと、他プレイリストＷ１およびＷ２の１つとを順次、組み合わせて、それぞれの組合せにおけるプレイリスト間（自プレイリストと他プレイリストとの間）の類似度を算出する。
【００３０】
一例として、類似度は、
類似度＝（当該の組合せの自プレイリストおよび他プレイリストに共通する楽曲の数）／（当該の自プレイリストの楽曲数と当該の他プレイリストの楽曲数のうち小さい方）  …（１）
として求める。
【００３１】
この際、自プレイリストに登録されているある楽曲と、他プレイリストに登録されているある楽曲が、同一か否かを判断するに当たっては、販売元情報が存在する場合には、両者の楽曲の販売元が同一で、かつ他の楽曲情報（書誌情報）も同一であるとき、または両者の楽曲の販売元は異なるが、他の楽曲情報（書誌情報）が同一であるとき、両者の楽曲は同一と判断し、販売元情報が存在しない場合には、他の楽曲情報（書誌情報）が同一であるとき、両者の楽曲は同一と判断する。
【００３２】
式（１）によって類似度を算出すると、図２の例では、図３に示すように、
１番目の組合せ（プレイリストＵ１とプレイリストＷ１）の類似度は２／３、
２番目の組合せ（プレイリストＵ２とプレイリストＷ１）の類似度は０、
３番目の組合せ（プレイリストＵ３とプレイリストＷ１）の類似度は０、
４番目の組合せ（プレイリストＵ１とプレイリストＷ２）の類似度は０、
５番目の組合せ（プレイリストＵ２とプレイリストＷ２）の類似度は２／３、
６番目の組合せ（プレイリストＵ３とプレイリストＷ２）の類似度は１／３、
となる。
【００３３】
ユーザ端末１０の制御部１４は、このように算出された類似度を、定められた閾値と比較し、算出された類似度が閾値以下であるときには、当該の組合せの自プレイリストと他プレイリストは類似しないものとし、算出された類似度が閾値を超えるときには、当該の組合せの自プレイリストと他プレイリストは類似するものとする。
【００３４】
類似度を式（１）に従って算出する場合、例えば、閾値は０．５とする。したがって、図２の例では、図３に示すように、
１番目の組合せ（プレイリストＵ１とプレイリストＷ１）は類似する、
２番目の組合せ（プレイリストＵ２とプレイリストＷ１）は類似しない、
３番目の組合せ（プレイリストＵ３とプレイリストＷ１）は類似しない、
４番目の組合せ（プレイリストＵ１とプレイリストＷ２）は類似しない、
５番目の組合せ（プレイリストＵ２とプレイリストＷ２）は類似する、
６番目の組合せ（プレイリストＵ３とプレイリストＷ２）は類似しない、
という判断となる。
【００３５】
そして、ユーザ端末１０の制御部１４は、自プレイリストと他プレイリストが類似しない組合せについては、当該の組合せについての処理を終了するが、自プレイリストと他プレイリストが類似する組合せについては、さらに、（２ａ）所有楽曲リストおよび当該の組合せの他プレイリストに含まれていて、当該の組合せの自プレイリストには含まれていない楽曲を、当該の組合せの自プレイリストに追加し、（２ｂ）所有楽曲リストに含まれてなく（したがって当該の組合せの自プレイリストにも含まれてなく）、当該の組合せの他プレイリストに含まれている楽曲を、購入楽曲候補リストに登録する。
【００３６】
したがって、図２の例では、図３に示すように、（３ａ）１番目の組合せにつき、ユーザＸの所有楽曲リストおよびユーザＹのプレイリストＷ１に存在するが、ユーザＸのプレイリストＵ１には存在しない楽曲Ｌが、ユーザＸのプレイリストＵ１に追加され、（３ｂ）５番目の組合せにつき、ユーザＸの所有楽曲リストに存在せず、ユーザＹのプレイリストＷ２に存在する楽曲Ｎが、ユーザＸの購入楽曲候補リストに登録される。
【００３７】
上記（２ｂ）の場合、購入楽曲候補リストには、当該楽曲の書誌情報とともに、ユーザＸが当該楽曲を購入し、当該楽曲の楽曲データがユーザ端末１０に収録される際に、当該楽曲が追加されるべき自プレイリストを指定する情報（プレイリスト識別情報）を記録する。すなわち、上記（３ｂ）の場合、楽曲Ｎの書誌情報にプレイリストＵ２を指定する情報が付加された情報が、購入楽曲候補リストに記述される。
【００３８】
以上の処理の結果、図２の例では、ユーザＸのリストテーブル２０は、図４のように書き替えられる。
【００３９】
図５および図６に、ユーザ端末１０の制御部１４が実行する、以上のようなプレイリスト更新処理の一例を示す。
【００４０】
この例のプレイリスト更新処理４０では、ユーザ端末１０におけるユーザＸの、ユーザＹのＷｅｂページ３０への接続のための操作によって、プレイリスト更新処理を開始して、制御部１４は、まずステップ４１で、Ｗｅｂページ３０にアクセスして、他プレイリスト（ユーザＹのプレイリストＷ１およびＷ２）を取得する。
【００４１】
次に、制御部１４は、ステップ４２で、自プレイリスト（プレイリストＵ１，Ｕ２およびＵ３）の１つと他プレイリスト（プレイリストＷ１およびＷ２）の１つとの組合せを選択する。選択の順序は、図３に示したような全ての組合せが一度ずつ選択され、かつ同じ組合せが重複して選択されなければ、任意でよい。
【００４２】
次に、制御部１４は、ステップ４３で、式（１）に従って、当該の組合せのプレイリスト間（自プレイリストと他プレイリストとの間）の類似度を算出する。
【００４３】
次に、制御部１４は、ステップ４４に進んで、算出された類似度が閾値（＝０．５）を超えるか否かを判断する。
【００４４】
そして、算出された類似度が閾値以下であるときには、制御部１４は、当該の組合せについての処理を終了し、ステップ４４からステップ４５に進んで、ほかの組合せがあるか否かを判断し、ほかの組合せがなければ、プレイリスト更新処理を終了し、ほかの組合せがあれば、ステップ４５からステップ４６に進んで、ほかの組合せを１つ選択した上で、ステップ４３に戻る。
【００４５】
一方、ステップ４３で算出された類似度が閾値を超えるときには、制御部１４は、ステップ４４からステップ５１に進んで、当該の自プレイリストになく、当該の他プレイリストにある楽曲が存在するか否かを判断する。
【００４６】
図３の１番目の組合せについては、当該の自プレイリスト（プレイリストＵ１）になく、当該の他プレイリスト（プレイリストＷ１）にある楽曲として、楽曲Ｌが存在し、図３の５番目の組合せについては、当該の自プレイリスト（プレイリストＵ２）になく、当該の他プレイリスト（プレイリストＷ２）にある楽曲として、楽曲Ｎが存在する。
【００４７】
これに対して、図２の例では存在しないが、プレイリスト間の類似度が閾値を超えるときでも、当該の自プレイリストになく、当該の他プレイリストにある楽曲が存在しない場合もあり得る。例えば、自プレイリストに楽曲Ａ，Ｂ，Ｃ，Ｄが存在し、他プレイリストに楽曲Ａ，Ｂ，Ｃが存在する組合せである。この組合せのプレイリスト間の類似度は、１であり、閾値（＝０．５）を超える。
【００４８】
そして、当該の自プレイリストになく、当該の他プレイリストにある楽曲が存在しないときには、類似度が閾値以下であるときと同様に、制御部１４は、当該の組合せについての処理を終了して、ステップ５１からステップ４５に進む。
【００４９】
一方、当該の自プレイリストになく、当該の他プレイリストにある楽曲が存在するときには、制御部１４は、ステップ５１からステップ５２に進んで、その楽曲を１つ（図３の１番目または５番目の組合せのように、当該の自プレイリストになく、当該の他プレイリストにある楽曲が、１つしか存在しないときには、その１つの楽曲を）選択し、さらにステップ５３に進んで、選択した当該の楽曲が所有楽曲リストにあるか否かを判断する。
【００５０】
そして、図３の１番目の組合せのように、当該の楽曲（図３の１番目の組合せの場合には楽曲Ｌ）が所有楽曲リストにあるときには、制御部１４は、ステップ５３からステップ５４に進んで、当該の楽曲を当該の自プレイリストに追加して、ステップ５６に進み、図３の５番目の組合せのように、当該の楽曲（図３の５番目の組合せの場合には楽曲Ｎ）が所有楽曲リストにないときには、制御部１４は、ステップ５３からステップ５５に進んで、当該の楽曲を購入楽曲候補リストに登録して、ステップ５６に進む。
【００５１】
ステップ５６では、当該の自プレイリストになく、当該の他プレイリストにある楽曲が、ほかに存在するか否かを判断し、ほかに存在するときには、ステップ５６からステップ５７に進んで、ステップ５２と同様に、その楽曲を１つ選択した上で、ステップ５３に戻り、ほかに存在しないときには、当該の組合せについての処理を終了して、ステップ５６からステップ４５に進む。
【００５２】
ステップ５５で、当該の楽曲を購入楽曲候補リストに登録するに当たっては、上述したようにプレイリスト指定情報を記述する。
【００５３】
これによって、ユーザＸは、音楽配信などによって当該の楽曲を購入し、当該の楽曲の楽曲データを記憶装置部１６に記録する際、制御部１４によって、その楽曲をプレイリスト指定情報で指示された自プレイリストに追加することができる。
【００５４】
図７に、このプレイリスト更新処理の一例を示す。この例のプレイリスト更新処理６０では、制御部１４は、ユーザＸの指示によって、または記憶装置部１６に記憶保持されていない楽曲データを新たに記憶装置部１６に記録する際にプログラムに従った自身の判断によって、プレイリスト更新処理を開始して、まずステップ６１で、当該の楽曲を所有楽曲リストに追加する。
【００５５】
次に、制御部１４は、ステップ６２に進んで、当該の楽曲が購入楽曲候補リストにあるか否かを、すなわち購入楽曲候補リストにある楽曲の楽曲データを記憶装置部１６に記録するものか否かを判断する。
【００５６】
そして、当該の楽曲が購入楽曲候補リストにないときには、制御部１４は、そのままプレイリスト更新処理を終了する。
【００５７】
一方、当該の楽曲が購入楽曲候補リストにあるときには、すなわち、例えば、リストテーブル２０が図４に示した状態にあるときに楽曲Ｌの楽曲データを記憶装置部１６に記録する場合には、ステップ６２からステップ６３に進んで、当該の楽曲をプレイリスト指定情報で指示されたプレイリストに追加し、さらにステップ６４に進んで、当該の楽曲を購入楽曲候補リストから削除する。
【００５８】
リストテーブル２０が図４に示した状態にあるとき、ユーザＸが楽曲Ｌを購入し、楽曲Ｌの楽曲データを記憶装置部１６に記録した場合には、以上のようなプレイリスト更新処理の結果、リストテーブル２０中の所有楽曲リスト、プレイリストおよび購入楽曲候補リストは、図８に示すように書き替えられる。
【００５９】
（２−２．効果）
以上の方法によれば、ユーザＸは、他のユーザＹのプレイリストを見て、さらには実際に一つひとつの曲を聴いて、自分のプレイリストに追加する楽曲を選択し、その楽曲の曲名などを入力し、その楽曲が追加されるプレイリストを指定する、などの手間をかけることなく、自分のプレイリストを更新し、充実させることができる。
【００６０】
しかも、プレイリストに追加される楽曲、およびその楽曲が追加されるプレイリストは、プレイリスト間の類似度によって決定されるため、更新後のプレイリストも、自分の趣味に合った楽曲を組み合わせたものとなる。
【００６１】
さらに、他のユーザＹのプレイリストを参考にして、楽曲を選択し、自分のプレイリストを更新するので、斬新な楽曲の組合せも生じ得、音楽の新たな楽しみ方を享受することができる。
【００６２】
また、自分の趣味に合った、自分が所有していない楽曲は、購入楽曲候補リストに呈示されるので、ユーザＸは、その楽曲を忘れずに購入することができる。
【００６３】
しかも、この購入楽曲候補リストへの呈示は、ユーザＸによるジャンルやアーティスト名の指定による楽曲検索の結果ではなく、他のユーザＹのプレイリストを参照した結果であるため、ユーザＸとしては、自分の知らなかったアーティストや、これまであまり興味を持たなかったジャンルの楽曲を発見し購入する手助けとなり、ユーザＸの音楽に対する視野や趣向を広げることができる。
【００６４】
［３．他の実施形態または例］
上述した例は、プレイリスト間（自プレイリストと他プレイリストとの間）の類似度を式（１）によって算出し、閾値を０．５とする場合であるが、類似度は、当該の組合せの自プレイリストと他プレイリストに共通に含まれる楽曲の割合が高いほど大きくなれば、式（１）以外の式によって算出することもでき、閾値も、その算出式に応じて適宜変更することができる。
【００６５】
また、上述した例は、他のユーザＹのプレイリストがＷｅｂ上で公開されている場合であるが、他のユーザＹのプレイリストは公開されているものでなくてもよく、例えば、いわゆる“Ｐｅｅｒ  ｔｏ  Ｐｅｅｒ”によりユーザＸの端末からユーザＹの端末にアクセスすることによって、ユーザＸの端末がユーザＹのプレイリストを取得し、楽曲の探索呈示処理（プレイリスト更新処理）を実行するように、システムを構成することもできる。
【００６６】
さらに、上述した例は、コンテンツが楽曲（音楽）である場合であるが、コンテンツがデータ化された静止画、動画、文書、楽曲以外の音声（小説や童話などの語り）などである場合にも、この発明を適用することができる。
【図面の簡単な説明】
【００６７】
【図１】この発明のシステムおよびユーザ端末の一例を示す図である。
【図２】自プレイリストおよび他プレイリストの一例を示す図である。
【図３】図２の場合のプレイリスト間の類似度を示す図である。
【図４】この発明の方法によるプレイリスト更新結果の一例を示す図である。
【図５】ユーザ端末が実行するプレイリスト更新処理の一例の一部を示す図である。
【図６】ユーザ端末が実行するプレイリスト更新処理の一例の一部を示す図である。
【図７】楽曲購入時のプレイリスト更新処理の一例を示す図である。
【図８】図７のプレイリスト更新処理の結果の一例を示す図である。
【符号の説明】
【００６８】
主要部については図中に全て記述したので、ここでは省略する。
【図１】
2006277880.tif 000003
【図２】
2006277880.tif 000004
【図３】
2006277880.tif 000005
【図４】
2006277880.tif 000006
【図５】
2006277880.tif 000007
【図６】
2006277880.tif 000008
【図７】
2006277880.tif 000009
【図８】
2006277880.tif 000010